(57)【特許請求の範囲】
【請求項１】
それぞれ複数の表示位置のうちいずれかを示す複数のアナログ表示機構と、
前記複数のアナログ表示機構のうち第１のアナログ表示機構に対して、当該アナログ表示機構の表示位置を検出するセンサの検出結果に基づいて較正を行う第１の較正手段と、
前記複数のアナログ表示機構のうち前記第１のアナログ表示機構と異なる第２のアナログ表示機構に対して、当該第２のアナログ表示機構の現在の表示位置に関する情報に基づいて較正を行う第２の較正手段と、
不揮発性メモリと、
前記第２のアナログ表示機構の現在の表示位置に関する情報を前記不揮発性メモリに記憶させる記憶制御手段と、
を含み、
前記記憶制御手段は、前記第２のアナログ表示機構が表示位置を変更する際に、前記不揮発性メモリに変更された表示位置を記憶させ、
前記記憶制御手段は、前記複数のアナログ表示機構の表示モードが所定のモードである場合には、前記第２のアナログ表示機構が表示位置を変更しても、前記不揮発性メモリに変更された表示位置を記憶させない、
ことを特徴とするアナログ電子時計。
【請求項２】
請求項１に記載のアナログ電子時計において、
前記記憶制御手段は、所定の時刻に前記不揮発性メモリに前記第２のアナログ表示機構の現在の表示位置に関する情報を記憶させる、
ことを特徴とするアナログ電子時計。
【請求項３】
それぞれ複数の表示位置のうちいずれかを示す複数のアナログ表示機構と、
前記複数のアナログ表示機構のうち第１のアナログ表示機構に対して、当該アナログ表示機構の表示位置を検出するセンサの検出結果に基づいて較正を行う第１の較正手段と、
前記複数のアナログ表示機構のうち前記第１のアナログ表示機構と異なる第２のアナログ表示機構に対して、当該第２のアナログ表示機構の現在の表示位置に関する情報に基づいて較正を行う第２の較正手段と、
不揮発性メモリと、
前記第２のアナログ表示機構の現在の表示位置に関する情報を前記不揮発性メモリに記憶させる記憶制御手段と、
を含み
前記記憶制御手段は、前記アナログ表示機構の表示モードを示す情報を前記不揮発性メモリに記憶させ、
前記第２の較正手段は、前記複数のアナログ表示機構の表示モードを示す情報に基づいて、前記第２のアナログ表示機構の表示位置を算出する、
ことを特徴とするアナログ電子時計。
【請求項４】
請求項３に記載のアナログ電子時計において、
前記第２の較正手段は、前記表示モードを示す情報が所定のモードを示す場合に、較正ができないことを前記複数のアナログ表示機構の少なくとも一部が示すよう制御する、
ことを特徴とするアナログ電子時計。
【請求項５】
請求項３に記載のアナログ電子時計において、
二次電池の電圧を検出する電圧検出部をさらに含み、
前記第２の較正手段は、前記不揮発性メモリに記憶された情報が、アナログ表示機構の表示モードが所定のモードであることを示す場合に、前記検出された電圧にさらに基づいて、前記第２のアナログ表示機構を較正する、
ことを特徴とするアナログ電子時計。
【請求項６】
それぞれ複数の表示位置のうちいずれかを示す複数のアナログ表示機構と、
前記複数のアナログ表示機構のうち第１のアナログ表示機構に対して、当該アナログ表示機構の表示位置を検出するセンサの検出結果に基づいて較正を行う第１の較正手段と、
前記複数のアナログ表示機構のうち前記第１のアナログ表示機構と異なる第２のアナログ表示機構に対して、当該第２のアナログ表示機構の現在の表示位置に関する情報に基づいて較正を行う第２の較正手段と、
衛星から時刻情報を含む衛星信号を受信する受信部と、を含み、
前記センサは、前記第１のアナログ表示機構が特定の位置を指したか否かを検出し、
再起動された際に、前記受信部に衛星信号の受信の開始を指示し、当該指示の後に前記第１の較正手段に、前記受信部による前記衛星信号の受信と並行して、前記第１のアナログ表示機構が前記特定の位置を指したことが検出されるまで表示位置を変化させ、前記第１のアナログ表示機構が前記特定の位置を指した後に前記受信部から前記第２のアナログ表示機構の現在の表示位置に関する情報として受信結果を取得する制御部をさらに含む、
ことを特徴とするアナログ電子時計。
【請求項７】
それぞれ複数の表示位置のうちいずれかを示す複数のアナログ表示機構を有するアナログ電子時計の制御方法であって、
前記複数のアナログ表示機構のうち第１のアナログ表示機構に対して、当該アナログ表示機構の表示位置を検出するセンサの検出結果に基づいて較正を行うステップと、
前記複数のアナログ表示機構のうち前記第１のアナログ表示機構と異なる第２のアナログ表示機構に対して、当該第２のアナログ表示機構の現在の表示位置に関する情報に基づいて較正を行うステップと、
前記第２のアナログ表示機構が表示位置を変更する際に、前記第２のアナログ表示機構の現在の表示位置に関する情報として変更された表示位置を不揮発性メモリに記憶させるステップと、を含み、
前記表示位置を記憶させるステップでは、前記複数のアナログ表示機構の表示モードが所定のモードである場合には、前記第２のアナログ表示機構が表示位置を変更しても、前記不揮発性メモリに変更された表示位置を記憶させない、
ことを特徴とするアナログ電子時計の制御方法。
【請求項８】
それぞれ複数の表示位置のうちいずれかを示す複数のアナログ表示機構を有するアナログ電子時計の制御方法であって、
前記複数のアナログ表示機構のうち第１のアナログ表示機構に対して、当該アナログ表示機構の表示位置を検出するセンサの検出結果に基づいて較正を行うステップと、
前記複数のアナログ表示機構のうち前記第１のアナログ表示機構と異なる第２のアナログ表示機構に対して、当該第２のアナログ表示機構の現在の表示位置に関する情報に基づいて較正を行うステップと、
前記第２のアナログ表示機構の現在の表示位置に関する情報を不揮発性メモリに記憶させるステップと、
を含み、
前記情報を不揮発性メモリに記憶させるステップでは、前記アナログ表示機構の表示モードを示す情報を前記不揮発性メモリに記憶させ、
前記第２のアナログ表示機構に対して較正を行うステップでは、前記複数のアナログ表示機構の表示モードを示す情報に基づいて、前記第２のアナログ表示機構の表示位置を算出する、
ことを特徴とするアナログ電子時計の制御方法。
【請求項９】
それぞれ複数の表示位置のうちいずれかを示す複数のアナログ表示機構を有するアナログ電子時計の制御方法であって、
前記複数のアナログ表示機構のうち第１のアナログ表示機構に対して、当該アナログ表示機構の表示位置を検出するセンサの検出結果に基づいて較正を行うステップと、
前記複数のアナログ表示機構のうち前記第１のアナログ表示機構と異なる第２のアナログ表示機構に対して、当該第２のアナログ表示機構の現在の表示位置に関する情報に基づいて較正を行うステップと、
再起動された際に、衛星から時刻情報を含む衛星信号を受信する受信部に前記衛星信号の受信の開始を指示し、当該指示の後に前記第１の較正手段に、前記受信部による前記衛星信号の受信と並行して、前記第１のアナログ表示機構が特定の位置を指したことがセンサにより検出されるまで表示位置を変化させ、前記第１のアナログ表示機構が前記特定の位置を指した後に前記受信部から前記第２のアナログ表示機構の現在の表示位置に関する情報として受信結果を取得するステップと、
を含むことを特徴とするアナログ電子時計の制御方法。
【発明の詳細な説明】
【技術分野】
【０００１】
本発明は、アナログ表示機構を有するアナログ電子時計及びアナログ電子時計の制御方法に関する。
【背景技術】
【０００２】
アナログ表示をするアナログ表示機構を有するアナログ電子時計は世間一般で広く用いられている。アナログ電子時計では、例えば静電気などに起因して、正常な動作をできなくなる場合がある。このような場合などに対応するため、電子時計はユーザの操作により自身を再起動する機能を有している。
【０００３】
特許文献１には、電波式のアナログ電子時計において、電池の電圧が所定の電圧レベルより低下した際に、指針を停止し、指針の位置を不揮発性メモリに格納することで、電池交換後の設定を容易にすることが開示されている。
【先行技術文献】
【特許文献】
【０００４】
【特許文献１】国際公開第９３／２２７１２号
【発明の概要】
【発明が解決しようとする課題】
【０００５】
アナログ電子時計が再起動される（オールリセット状態になる）と、ＲＡＭに記憶されたアナログ表示機構の表示内容の情報が失われるため、アナログ表示機構の実際の表示内容とその情報とを整合させる較正をする必要がある。この較正作業をユーザが自ら行う場合、その較正の操作が面倒であった。また、較正を容易にするため、針の位置を検出する機構を設けることが考えられるが、全ての針等についてかかる機構を設けることは、コスト増や時計の大形化を招いてしまう。
【０００６】
本発明は上述の事情を考慮してなされたものであって、その目的の一つは、アナログ表示機構の実際の表示内容とその情報とを整合させるための較正に関するユーザの負荷を軽減するアナログ電子時計を提供することにある。
【課題を解決するための手段】
【０００７】
本発明に係るアナログ電子時計は、それぞれ複数の表示位置のうちいずれかを示す複数のアナログ表示機構と、前記複数のアナログ表示機構のうち第１のアナログ表示機構に対して、当該アナログ表示機構の表示位置を検出するセンサの検出結果に基づいて較正を行う第１の較正手段と、前記複数のアナログ表示機構のうち前記第１のアナログ表示機構と異なる第２のアナログ表示機構に対して、当該第２のアナログ表示機構の現在の表示位置に関する情報に基づいて較正を行う第２の較正手段と、を含むことを特徴とする。
【０００８】
前記アナログ電子時計は、不揮発性メモリと、前記第２のアナログ表示機構の現在の表示位置に関する情報を前記不揮発性メモリに記憶させる記憶制御手段と、をさらに含んでもよい。
【０００９】
前記アナログ電子時計において、前記記憶制御手段は、前記第２のアナログ表示機構が表示位置を変更する際に、前記不揮発性メモリに変更された表示位置を記憶させてよい。
【００１０】
前記アナログ電子時計において、前記記憶制御手段は、前記複数のアナログ表示機構の表示モードが所定のモードである場合には、前記第２のアナログ表示機構が表示位置を変更しても、前記不揮発性メモリに変更された表示位置を記憶させなくてよい。
【００１１】
前記アナログ電子時計において、前記記憶制御手段は、所定の時刻に前記不揮発性メモリに前記第２のアナログ表示機構の現在の表示位置に関する情報を記憶させてよい。
【００１２】
前記アナログ電子時計において、前記記憶制御手段は、前記アナログ表示機構の表示モードを示す情報を前記不揮発性メモリに記憶させ、前記第２の較正手段は、前記複数のアナログ表示機構の表示モードを示す情報に基づいて、前記第２のアナログ表示機構の表示位置を算出してよい。
【００１３】
前記アナログ電子時計において、前記第２の較正手段は、前記表示モードを示す情報が所定のモードを示す場合に、較正ができないことを前記複数のアナログ表示機構の少なくとも一部が示すよう制御してよい。
【００１４】
前記アナログ電子時計は、日付および時刻を示す時刻情報を含む電波を受信する受信部をさらに含み、前記第２の較正手段は、前記時刻情報に基づいて、前記第２のアナログ表示機構を較正してよい。
【００１５】
前記アナログ電子時計は、二次電池の電圧を検出する電圧検出部をさらに含み、前記第２の較正手段は、前記検出された電圧にさらに基づいて、前記第２のアナログ表示機構を較正してよい。
【００１６】
前記アナログ電子時計は、衛星から時刻情報を含む衛星信号を受信する受信部をさらに含み、前記センサは、前記第１のアナログ表示機構が特定の位置を指したか否かを検出し、前記アナログ電子時計は、再起動された際に、前記受信部に衛星信号の受信の開始を指示し、当該指示の後に前記第１の較正手段に、前記第１のアナログ検出機構が前記特定の位置を指したことが検出されるまで表示位置を変化させ、前記第１のアナログ表示機構が前記特定の位置を指した後に前記受信部から受信結果を取得する制御部をさらに含んでよい。
【００１７】
本発明に係るそれぞれ複数の表示位置のうちいずれかを示す複数のアナログ表示機構を有するアナログ電子時計の制御方法は、前記複数のアナログ表示機構のうち第１のアナログ表示機構に対して、当該アナログ表示機構の表示位置を検出するセンサの検出結果に基づいて較正を行うステップと、前記複数のアナログ表示機構のうち前記第１のアナログ表示機構と異なる第２のアナログ表示機構に対して、当該第２のアナログ表示機構の現在の表示位置に関する情報に基づいて較正を行うステップと、を含む。
【発明の効果】
【００１８】
本発明に係るアナログ電子時計によれば、アナログ表示機構の実際の表示内容とその情報とを整合させるための較正に関するユーザの負荷を軽減することができる。
【図面の簡単な説明】
【００１９】
【図１】本発明の実施形態にかかる衛星電波腕時計の外観の一例を示す平面図である。
【図２】本発明の実施形態にかかる衛星電波腕時計の内部構成を示す構成ブロック図である。
【図３】図１に示す衛星電波腕時計における指針、日板の特性を説明する図である。
【図４】本発明の実施形態にかかる衛星電波腕時計が実現する機能を示す機能ブロック図である。
【図５】不揮発性メモリに格納されるデータの一例を示す図である。
【図６】再起動時のマイクロコントローラの処理の概要を示すフロー図である。
【図７】機能針位置決定部による処理の一例を説明するフロー図である。
【図８】機能針位置決定部による処理の一例を説明するフロー図である。
【図９】日付が変わる際の時刻表示制御部およびバックアップ制御部の処理を説明するフロー図である。
【図１０】表示モードを切り替える際のモード制御部およびバックアップ制御部の処理を説明するフロー図である。
【図１１】本発明の実施形態にかかる衛星電波腕時計の外観の他の一例を示す平面図である。
【図１２】図１１に示す衛星電波腕時計における指針、日板の特性を説明する図である。
【発明を実施するための形態】
【００２０】
以下、本発明の実施の形態について、図面を参照しながら詳細に説明する。以下では、アナログ表示機構を有するアナログ電子時計の例として衛星電波腕時計について説明する。本実施形態にかかる衛星電波腕時計１は、複数のアナログ表示機構を有し、時刻情報を含んだ電波を受信し、当該受信した電波に含まれる時刻情報を用いて自身が計時している時刻の修正を行う。
【００２１】
図１は、本実施形態に係る衛星電波腕時計１の外観の一例を示す平面図であり、図２は、衛星電波腕時計１の内部構成を示す構成ブロック図である。これらの図に示されるように、衛星電波腕時計１は、アンテナ１０と、受信回路２０と、制御回路３０と、発電回路４１と、二次電池４２と、電源電圧検出回路４３と、駆動機構５０と、時刻表示部５１と、指針５２と、文字板５３と、針位置検出部５５と、操作部６０と、を含んで構成される。
【００２２】
アンテナ１０は、時刻情報を含んだ電波として、衛星から送信される衛星信号を受信する。特に本実施形態では、アンテナ１０は、ＧＰＳ（Ｇｌｏｂａｌ  Ｐｏｓｉｔｉｏｎｉｎｇ  Ｓｙｓｔｅｍ）衛星から送信される周波数約１．６ＧＨｚの電波を受信するパッチアンテナである。ＧＰＳは、衛星測位システムの一種であって、地球の周囲を周回する複数のＧＰＳ衛星によって実現されている。これらのＧＰＳ衛星は、それぞれ高精度の原子時計を搭載しており、原子時計によって計時された時刻情報を含んだ衛星信号を周期的に送信している。
【００２３】
受信回路２０は、アンテナ１０によって受信された衛星信号を復号して、復号の結果得られる衛星信号の内容を示すビット列（受信データ）を出力する。具体的に、受信回路２０は、高周波回路（ＲＦ回路）２１及びデコード回路２２を含んで構成されている。
【００２４】
高周波回路２１は、高周波数で動作する集積回路であって、アンテナ１０が受信したアナログ信号に対して増幅、検波を行って、ベースバンド信号に変換する。デコード回路２２は、ベースバンド処理を行う集積回路であって、高周波回路２１が出力するベースバンド信号を復号してＧＰＳ衛星から受信したデータの内容を示すビット列を生成する。デコード回路２２は、さらに生成されたビット列から時刻情報を取得し、またそのビット列から緯度や経度を含む位置情報を算出する。受信回路２０は、算出された時刻情報や位置情報をマイクロコントローラ３１に向けて出力する。
【００２５】
制御回路３０は、衛星電波腕時計１に含まれる各種回路や機構を制御する回路であり、マイクロコントローラ３１と、モータ駆動回路３５と、ＲＴＣ（Ｒｅａｌ  Ｔｉｍｅ  Ｃｌｏｃｋ）３６と、不揮発性メモリ３７とを含んで構成される。マイクロコントローラ３１は、演算部３２と、ＲＡＭ（Ｒａｎｄｏｍ  Ａｃｃｅｓｓ  Ｍｅｍｏｒｙ）３３と、ＲＯＭ（Ｒｅａｄ  Ｏｎｌｙ  Ｍｅｍｏｒｙ）３４と、を含み、例えば１つの集積回路により構成される。
【００２６】
演算部３２は、ＲＯＭ３４に格納されたプログラムに従って各種の情報処理を行う。本実施形態において演算部３２が実行する処理の詳細については、後述する。ＲＡＭ３３は、演算部３２のワークメモリとして機能し、演算部３２の処理対象となるデータが書き込まれる。特に本実施形態では、ＲＡＭ３３は、後述する指針５２等が指し示す位置や表示モード等の、内部制御用の各種データの値を保持する。
【００２７】
ＲＴＣ３６は、衛星電波腕時計１の内部での計時に使用されるクロック信号を供給する。図２では、ＲＴＣ３６が出力するクロック信号はマイクロコントローラ３１に入力され、マイクロコントローラ３１は図示しないカウンタによりクロック信号に含まれるパルスをカウントする。演算部３２は、カウントされたパルスの数に応じた内部時刻を取得し、内部時刻に基づいて時刻表示部５１に表示すべき時刻（表示時刻）を決定する。
【００２８】
モータ駆動回路３５は、演算部３２により決定された表示時刻に応じて、駆動機構５０に含まれるモータを駆動する駆動信号を出力する。これにより、制御回路３０によって生成された表示時刻が時刻表示部５１に表示される。
【００２９】
また、本実施形態に係る衛星電波腕時計１では、演算部３２が、ＲＴＣ３６から供給される信号によって計時された内部時刻を、受信回路２０によって受信された衛星信号に基づいて修正する。
【００３０】
不揮発性メモリ３７は、電源の供給がされない場合や衛星電波腕時計１が再起動する場合でも格納されたデータを保持するメモリであり、例えばフラッシュメモリやＥＥＰＲＯＭである。不揮発性メモリ３７に格納されるデータの詳細については後述する。
【００３１】
発電回路４１は文字板５３の下に配置される太陽電池を含む。発電回路４１は、衛星電波腕時計１に対して照射される太陽光などの外光によって発電し、発電した電力を二次電池４２に供給する。
【００３２】
二次電池４２は、リチウムイオン電池等の充電可能な電池と、そのリチウムイオン電池等の充電および放電を管理するバッテリーマネジメント回路とを含み、発電回路４１によって発電された電力を蓄積する。そして、蓄積された電力のうち動作に必要な電力を、受信回路２０や制御回路３０、駆動機構５０など、衛星電波腕時計１内の各部に対して供給する。
【００３３】
電源電圧検出回路４３は、二次電池４２の電圧を測定する回路である。測定された電圧を示す信号は、マイクロコントローラ３１に向けて出力される。
【００３４】
操作部６０は、例えば竜頭や操作ボタン等であって、衛星電波腕時計１の使用者による操作を受け付けて、その操作内容を制御回路３０に対して出力する。制御回路３０は、操作部６０が受け付けた操作入力の内容に応じて各種の処理を実行する。
【００３５】
駆動機構５０は、前述したモータ駆動回路３５から出力される駆動信号に応じて動作するステップモータと、輪列と、を含んで構成され、ステップモータの回転を輪列が伝達することによって、指針５２、日板５４を回転させる。時刻表示部５１は、指針５２、日板５４及び文字板５３によって構成される。指針５２は、時針５２ａ、分針５２ｂ、秒針５２ｃ、サブ時針５２ｄ、サブ分針５２ｅ、機能針５２ｆ、モード針５２ｇを含む。文字板５３上には、サブ表示領域５３ｂ、機能表示領域５３ｃ、モード表示領域５３ｄも配置されている。
【００３６】
図３は、図１に示す衛星電波腕時計１における指針５２、日板５４の特性を説明する図である。指針５２および日板５４は、どちらも複数の位置のうちいずれかをアナログ機構によって指すことで時刻等の情報を表示するものであり、互いに共通する性質を有する。指針５２および日板５４を区別しない場合にはアナログ表示機構と記載する。
【００３７】
モード針５２ｇは、モード表示領域５３ｄ内で衛星電波腕時計１の表示モードを示す針であり、モード針５２ｇは、モータの動力なしに、ユーザによる竜頭の機械的な動きに応じて指す位置を変える。表示モードには、タイムモード、クロノモード、アラームモード、サマータイム表示モード、電池残量表示モードがある。タイムモードは、現在時刻を表示するモードであり、クロノモードは、衛星電波腕時計１をクロノグラフとして動作させるモードであり、アラームモードはアラーム時刻やアラームのオンオフを設定するモードである。サマータイム表示モードは、サマータイム表示をしているか否かを機能針５２ｆに表示させるモードであり、電池残量表示モードは、二次電池４２の電池残量を機能針５２ｆに表示させるモードである。タイムモード、クロノモード、アラームモードの切り替えは、ユーザが竜頭を引き出すまたは引っ込める操作によって行ってよいし、サマータイム表示モード、電池残量表示モードへの切り替えについては例えばタイムモードの際にユーザが操作部６０のボタンを操作することによって行われてよい。
【００３８】
時針５２ａ、分針５２ｂ、秒針５２ｃは、回転しながら文字板５３上の位置を指すことによって、メインの現在時刻を表示する。秒針５２ｃは、さらにクロノモードでは計測開始からの秒の経過を示す。時針５２ａおよび分針５２ｂは、どちらもステップモータＡにより駆動される。ステップモータＡは分針５２ｂの１周（６０秒）につき３６０ステップ動作し、分針５２ｂの１周は時針５２ａの１時間（１２分の１）になる。時針５２ａおよび分針５２ｂが全てのパターンを表示するために必要なステップ数は４３２０（３６０×１２）である。秒針５２ｃはステップモータＢにより駆動され、ステップモータＢは秒針５２ｃの１周につき６０ステップ動作する。なお秒針５２ｃは、ユーザの操作部６０の操作等に応じて発電量や衛星電波の受信状況、アラームのオンオフの状況を表示してもよい。ここで、時針５２ａ、分針５２ｂ、秒針５２ｃの駆動方式は、分針５２ｂと秒針５２ｃとを連動させて駆動する方式や、時針５２ａ、分針５２ｂ、秒針５２ｃをそれぞれ独立に駆動する方式もあり、時計の仕様に応じて駆動方式を適宜選択してよい。
【００３９】
サブ時針５２ｄ、サブ分針５２ｅは、サブ表示領域５３ｂにおいて、タイムモードではメインと異なる都市における現在時刻（サブ時刻）やＵＴＣ時刻を表示し、クロノモードでは計測開始からの時分の経過を表示し、アラームモードではアラーム時刻を表示する。サブ時針５２ｄは２４時間表示である。サブ時針５２ｄおよびサブ分針５２ｅは、どちらもステップモータＣにより駆動される。ステップモータＣはサブ分針５２ｅの１周（６０秒）につき６０ステップ動作し、サブ分針５２ｅの１周はサブ時針５２ｄの１時間（２４分の１）になる。サブ時針５２ｄおよびサブ分針５２ｅが全てのパターンを表示するために必要なステップ数は１４４０（６０×２４）である。なお、文字板５３上に現在時刻が午前／午後のどちらであるかが表示する部分を設けてもよい。
【００４０】
機能針５２ｆは、本実施形態ではタイムモードでは機能表示領域５３ｃの左側部分を指すことで曜日を表示し、サマータイム表示モードでは機能表示領域５３ｃの下側部分を指すことでサマータイム表示であるか否かを表示し、電池残量表示モードでは電源電圧検出回路４３により計測された電圧に応じて機能表示領域５３ｃの右側部分を指すことで二次電池４２の電池残量を表示する。また、クロノモードでは、機能針５２ｆは計測開始からの経過時間のうち、２０分の１秒単位の値（０〜０．９５までの２０段階）を示す。
【００４１】
日板５４は、現在日付のうち日のみを表示する。機能針５２ｆおよび日板５４は、どちらもステップモータＤにより駆動される。ステップモータＤは機能針５２ｆの１周につき６０ステップ動作する。また日板５４は、ジェネバ機構により、機能針５２ｆが５周するごとに指す位置が１日変わる。日板５４が表示する日付は１日から３１日の３１種類あるため、機能針５２ｆおよび日板５４が全パターンを表示するために必要なステップ数は９３００（６０×５×３１）である。なお、機能針５２ｆを駆動するモータと日板５４を駆動するモータとは、別であってもよい。機能針５２ｆや日板５４を有する時計の内部スペースや要求される消費電力やコストに応じてモータを同じにするか否かが決定されてよい。
【００４２】
針位置検出部５５は、時針５２ａ、分針５２ｂ、秒針５２ｃの位置を検出するセンサを有し、そのセンサの検出結果を示す信号をマイクロコントローラ３１に出力する。例えば、光検出式の針位置検出機構の場合には、検出対象の針等に、特定の位置に孔またはスリットが設けられた円板等が同期して回転するように取付けられており、針等が特定の位置（基準位置）にくると光が孔またはスリットを通過するようになっている。針位置検出部５５に含まれるセンサはその通過した光を検出し、針位置検出部５５はその検出による信号を出力する。本実施形態では、時針５２ａ、分針５２ｂ、秒針５２ｃのそれぞれが例えば１２時の位置にある場合に針位置検出部５５がそれぞれの針が特定の位置にあることを示す信号を出力する。針位置検出部５５は、さらにサブ時針５２ｄおよびサブ分針５２ｅの位置を検出するセンサを有し、そのそれぞれが特定の位置にあるか否かを検出してもよい。なお、孔またはスリットが設けられた円板の代わりに、検出パターンが設けられた円板を用いてもよい。この検出パターンは、互いに反射率が異なる２つの種類の領域を有する。針位置検出部５５に含まれるセンサは、検出パターンに照射された光の反射光を検出し、針位置検出部５５が検出された反射光の強さに基づいて針等が基準位置にあるか否かを示す信号を出力する、または針の位置を示す信号を出力してよい。
【００４３】
なお、受信回路２０および針位置検出部５５は、物理的にはマイクロコントローラ３１の入出力ポートと切替回路を介して接続されている。マイクロコントローラ３１は、切替回路を操作することにより、受信回路２０および針位置検出部５５のうち選択されたものと信号をやりとりすることができる。マイクロコントローラ３１の入出力ポートの数が多ければ、受信回路２０および針位置検出部５５を互いに異なる入出力ポートに直接接続してもよい。
【００４４】
次に、本実施形態において制御回路３０のマイクロコントローラ３１の動作について説明する。図４は、衛星電波腕時計１が実現する機能を示す機能ブロック図である。マイクロコントローラ３１に含まれる演算部３２は、ＲＯＭ３４に格納されたプログラムを実行することにより、機能的に、図５に示すように、起動処理部３１ａと、受信制御部３１ｂと、基準位置設定部３１ｃと、機能針位置決定部３１ｄと、時刻表示制御部３１ｅと、モード制御部３１ｆと、バックアップ制御部３１ｇと、を実現する。
【００４５】
起動処理部３１ａは、ユーザの操作により操作部６０から再起動の指示が入力された場合、マイクロコントローラ３１に内蔵されるウォッチドッグタイマがシステムの異常を検出した場合、環境温度がＲＴＣ３６に含まれる発振器の動作温度範囲の外になったためにその発振器が一時停止した場合に、衛星電波腕時計１を再起動する。また、起動処理部３１ａは再起動の際に衛星電波腕時計１を利用可能な状態にするための処理を実行する。
【００４６】
受信制御部３１ｂは、受信回路２０の起動および受信の開始を制御し、受信回路２０が受信した衛星信号に基づく時刻情報などのデータを取得する。
【００４７】
基準位置設定部３１ｃは、複数のアナログ表示機構のうち一部（以降、「第１のアナログ表示機構」という）の表示位置を検出するセンサの検出結果に基づいて、第１のアナログ表示機構を較正する。本実施形態では第１のアナログ表示機構は、時針５２ａ、分針５２ｂおよび秒針５２ｃであり、サブ時針５２ｄ、サブ分針５２ｅを含んでよい。より具体的には、基準位置設定部３１ｃは、第１のアナログ表示機構のそれぞれが基準位置を指していることを示す信号を針位置検出部５５が出力するまで、そのそれぞれのアナログ表示機構を駆動するステップモータを回転させる。この基準位置設定部３１ｃにより、これらのアナログ表示機構が再起動時にどの位置を指していても回転終了時に基準位置を指すようになり、第１のアナログ表示機構の位置が較正される。
【００４８】
機能針位置決定部３１ｄは、複数のアナログ表示機構のうち他の一部（以降、「第２のアナログ表示機構」という）を、現在の表示位置に関する情報に基づいて較正する。第１のアナログ表示機構と第２のアナログ表示機構とは異なる。本実施形態では、第２のアナログ表示機構は、機能針５２ｆ、日板５４である。機能針５２ｆや日板５４は、平均的な動作間隔が第１のアナログ表示機構に比べて長い。また、第２のアナログ表示機構として、午前／午後表示針が含まれてもよい。ここで、第２のアナログ表示機構の現在の表示位置に関する情報とは、第２のアナログ表示機構が現在指し示している位置を特定するのに十分な情報であって、本実施形態の機能針位置決定部３１ｄは、より具体的には、不揮発性メモリ３７に格納された、第２のアナログ表示機構の表示位置を示す情報に基づいて較正を行う。なお、機能針位置決定部３１ｄは、受信回路２０が受信した衛星信号から取得される時刻情報や位置情報に基づいて第２のアナログ表示機構を較正してもよい。
【００４９】
時刻表示制御部３１ｅは、モータ駆動回路３５を制御し、時刻表示部５１に表示時刻が表示されるように制御する。時刻表示制御部３１ｅは時針５２ａ、分針５２ｂ、秒針５２ｃが表示時刻を指すようにモータ駆動回路３５を介してステップモータＡ，Ｂを制御する。またタイムモードでは、時刻表示制御部３１ｅは、サブ時針５２ｄ、サブ分針５２ｅがサブ都市やＵＴＣの表示時刻を指し、機能針５２ｆが曜日を指すようにモータ駆動回路３５を介してステップモータＣ，Ｄを制御する。またサマータイム表示モード、電池残量表示モードでは、時刻表示制御部３１ｅは、機能針５２ｆがそれぞれサマータイム表示のオンオフ、電池残量を表示するようにステップモータＤを制御する。クロノモードでは、時刻表示制御部３１ｅはサブ時針５２ｄ、サブ分針５２ｅ、秒針５２ｃ、機能針５２ｆをそれぞれ、時積算計、分積算計、クロノグラフ秒針、スモールセコンドとして計測開始からの経過時間を表示するようにステップモータＢ，Ｃ，Ｄを制御する。また、時刻表示制御部３１ｅは、日付が変わる際に、日板５４の表示を切り替えるようステップモータＤを制御する。
【００５０】
ステップモータはある位置から指示されたステップだけ輪列を回転させることができるが、絶対位置を指定することは難しい。そこで、時刻表示制御部３１ｅは、指針５２や日板５４が指している位置をＲＡＭ３３に記憶させ、表示モード変更の際には現在位置と新たに指すべき位置との差を算出し、その差に基づいてステップモータを制御する。特に機能針５２ｆについては、表示モードにより表示内容が全く異なるため、このような制御が不可欠である。
【００５１】
モード制御部３１ｆは、操作部６０からの入力に基づいて表示モードを変更する。モード制御部３１ｆは例えば、操作部６０のうち竜頭が操作された場合にタイムモード、クロノモード、アラームモードに表示モードを切り替え、タイムモードの際にボタンが押下された場合にモード制御部３１ｆは表示モードをサマータイム表示モードや電池残量表示モードに切り替えてよい。
【００５２】
バックアップ制御部３１ｇは、不揮発性メモリ３７に、再起動時に参照されるデータを格納する。このデータは、衛星信号からの取得が不可能または取得に時間がかかる情報や、アナログ表示機構の現在位置を示す情報を含む。
【００５３】
図５は、不揮発性メモリ３７に格納されるデータの一例を示す図である。不揮発性メモリ３７は例えばページ７１，７２，７３のような複数のページを含み、そのうち１ページが利用される。以下では利用されるページを利用ページと記載する。利用ページには、書き込み回数カウンタ、ロールオーバ情報、閏秒情報、ＷＮ（週番号）、表示モード、曜日情報、都市情報、サマータイム設定が記憶されている。これらの情報は、第２のアナログ表示機構の現在位置の算出や時刻情報の取得を容易にする情報である。他に、不揮発性メモリ３７に現在の年月日の情報や、午前／午後表示の情報等が格納されてもよい。不揮発性メモリ３７に格納されるデータは、後述する書き込み回数の制限から、平均して１日に最大でも１〜２回程度の書き換えが想定されるものである。ここで、不揮発性メモリ３７に格納されるデータは、第２のアナログ表示機構の現在位置そのものを示すデータの代わりに、現在位置を推定できるデータであってかつよりビット幅の小さいデータにすると好適である。例えば、年月日の代わりに曜日（３ビット）を不揮発性メモリ３７に格納するとよい。これにより、不揮発性メモリ３７の容量が節約され、不揮発性メモリ３７の実装面積を縮小することも可能となる。
【００５４】
ロールオーバ情報、閏秒情報、ＷＮは、ＧＰＳから送信される衛星信号から取得される情報であり、数日から数十年変化しない情報である。曜日情報、都市情報は、現在日付を算出するために必要な情報であり、これらにより、日板５４の現在位置を求めることが可能となる。また、サマータイム設定は、衛星電波腕時計１がサマータイム表示をしているか否かを示す情報である。なお、必ずしも不揮発性メモリ３７に格納される情報が、ＲＡＭ３３にある情報のバックアップでなくてもよい。マイクロコントローラ３１は、不揮発性メモリ３７に格納される情報を直接読出しまたは書き込みして様々な制御に用いてもよい。
【００５５】
不揮発性メモリ３７がフラッシュメモリである場合、書き込みはページ単位で行われ、また書き込み回数に制限（例えば１０００〜１００００回）がある。バックアップ制御部３１ｇは不揮発性メモリ３７の各ページへの書き込み回数が制限を超えないようにデータの書き込み先のページを制御する。より具体的には、書き込み回数カウンタには、不揮発性メモリ３７の利用ページにデータが書き込まれた回数の情報が格納されており、バックアップ制御部３１ｇは書き込み回数カウンタが不揮発性メモリ３７の書き込み制限回数に達した場合に、利用ページを次のページに変更する。このような制御により、表示モードといった情報の更新などにより書き込み回数が増加しても、信頼性が確保される。
【００５６】
以下では、再起動時の処理についてさらに詳細に説明する。図６は、再起動時のマイクロコントローラ３１の処理の概要を示すフロー図である。起動処理部３１ａは、操作部６０からの入力が、ユーザからのオールリセット指示であるかを検出し、その操作が検出された場合、マイクロコントローラ３１に内蔵されるウォッチドッグタイマがシステムの異常を検出した場合、または、環境温度がＲＴＣ３６に含まれる発振器の動作温度範囲の外になったためにその発振器が一時停止した場合に図６に示す処理を実行する。起動処理部３１ａは、はじめに、セルフチェック、周辺回路の初期化などの初期処理を実行する（ステップＳ１０１）。次に、受信制御部３１ｂは、受信回路２０を起動し、衛星信号の受信を開始させる（ステップＳ１０２）。ここで、受信制御部３１ｂは、切替回路がある場合には入出力ポートの接続先を受信回路２０に切替え、その後に衛星信号の受信を開始させる信号を受信回路２０に送ってもよい。受信回路２０は内蔵されるプロセッサにより衛星信号の受信等を独立して行うことができ、以後の処理と並行して衛星信号の受信を行う。
【００５７】
ステップＳ１０２の処理の次には、基準位置設定部３１ｃは、針位置検出部５５からの信号に基づいて、第１のアナログ表示機構である時針５２ａ、分針５２ｂ、秒針５２ｃの位置を基準位置に合わせる（ステップＳ１０３）。より具体的には、時針５２ａ、分針５２ｂが基準位置にあることを示す信号を針位置検出部５５から受信するまで時針５２ａおよび分針５２ｂを駆動するステップモータＡを回転させることで時針５２ａおよび分針５２ｂの位置を基準位置に設定する。また秒針５２ｃが基準位置にあることを示す信号を針位置検出部５５から受信するまでステップモータＢを回転させることで秒針５２ｃを基準位置に設定する。なお、基準位置設定部３１ｃはサブ時針５２ｄやサブ分針５２ｅに対して同様の制御を行ってもよい。また切替回路がある場合には、基準位置設定部３１ｃはステップＳ１０２の処理の前に入出力ポートの接続先を針位置検出部５５に切り替えてよい。
【００５８】
そして、受信制御部３１ｂは、受信回路２０が衛星信号の受信を完了するのを待ち、その受信完了を確認した後に受信回路２０から受信結果として時刻情報や位置情報を取得する（ステップＳ１０４）。なお、切替回路がある場合には、受信制御部３１ｂは、入出力ポートの接続先を受信回路２０に切替えてから受信完了の確認や時刻情報等の取得を行ってよい。また、時刻表示制御部３１ｅは、取得された時刻情報に基づいて現在時刻および現在日付を設定する（ステップＳ１０５）。ここで、受信回路２０による衛星信号の受信と針位置検出部５５による第１のアナログ表示機構の較正とを並行に行うことで、再起動に必要な時間を短縮することができる。また、第１のアナログ表示機構の較正がなされた後に衛星信号により取得された現在時刻を表示するようになるので、誤った時刻を指し示す事態を防ぐことができる。
【００５９】
次に、機能針位置決定部３１ｄは、第２のアナログ表示機構である機能針５２ｆについて針位置決定処理を実行する（ステップＳ１０６）。
【００６０】
針位置決定処理の詳細について説明する。図７および８は、機能針位置決定部３１ｄによる処理の一例を説明するフロー図である。機能針位置決定部３１ｄは、はじめに、不揮発性メモリ３７の利用ページからＷＮ、曜日情報、ロールオーバ情報または必要に応じて都市情報を取得する（ステップＳ２０１）。次に、機能針位置決定部３１ｄはＷＮ、曜日情報等からリセット時の日付であるリセット日付を算出し、リセット日付を日板５４の位置として決定する（ステップＳ２０２）。機能針位置決定部３１ｄは決定された日板５４の位置をＲＡＭ３３に記憶させる。より具体的には、ＷＮや曜日情報が時針５２ａ、分針５２ｂの時刻を示す対象となる都市における週番号や曜日を示す場合には、機能針位置決定部３１ｄはロールオーバ情報とＷＮとからリセット時にどの週であったかを算出し、算出された週と曜日情報とからリセット日付を算出する。なお、ＷＮや曜日情報がＵＴＣ日付に対応するものである場合には、機能針位置決定部３１ｄはロールオーバ情報、ＷＮ、曜日情報からＵＴＣにおける日付を算出し、機能針位置決定部３１ｄはその日付と都市情報とサマータイム情報とに基づいて時針５２ａ、分針５２ｂの時刻を示す対象となる都市におけるリセット日付を算出すればよい。なお、標準電波を用いた電波腕時計や電波受信機能のないアナログ腕時計の場合などでは、不揮発性メモリ３７に日付を直接格納しておき、機能針位置決定部３１ｄはそれを取得するだけでもよい。また、時刻表示制御部３１ｅは、受信された衛星信号に含まれるＷＮ、曜日情報、都市情報から現在日付を算出し、この日付がリセット日付と異なる場合には、日板３４等が受信された衛星信号により求められた日付を示すように表示を修正してもよい。
【００６１】
次に、機能針位置決定部３１ｄは不揮発性メモリ３７から表示モードを取得する（ステップＳ２０３）。そして、取得された表示モードがタイムモードまたはアラームモードを示す場合には（ステップＳ２０４のＹ）、機能針位置決定部３１ｄは曜日情報から機能針５２ｆの位置を算出する（ステップＳ２０５）。一方、表示モードがサマータイム表示モードの場合には（ステップＳ２０６のＹ）、機能針位置決定部３１ｄは不揮発性メモリ３７からサマータイム設定を取得し（ステップＳ２０７）、サマータイム設定から機能針５２ｆの位置を算出する（ステップＳ２０８）。
【００６２】
また、表示モードが電池残量表示モードの場合には（ステップＳ２０９のＹ）、機能針位置決定部３１ｄは電源電圧検出回路４３に二次電池４２の電池残量を示す電圧を計測させ（ステップＳ２１０）、その計測された電圧の値から機能針５２ｆの位置を算出する（ステップＳ２１１）。また、表示モードが上記のいずれでも無い場合には（ステップＳ２０９のＮ）、表示モードはクロノモードであり、機能針５２ｆの位置が頻繁に変化しており書き換え制限回数との関係で不揮発性メモリ３７に格納できないため、機能針５２ｆの位置は決定できない。そのため、機能針位置決定部３１ｄは、モータ駆動回路３５を制御することにより、機能針５２ｆの位置を手動で合わせる必要がある旨を表示する（ステップＳ２１２）。この旨は、例えば秒針５２ｃに特有の動きをさせることにより表示されてよい。なお、表示モードに基づいて機能針５２ｆの位置を判断するだけでなく、リセット前のスイッチ等の操作情報に基づいて機能針５２ｆの位置を算出してもよい。不揮発性メモリ３７にスイッチの操作情報も格納することで、より詳細な操作に応じた表示の変更にも対処することが可能になる。例えば、クロノモードにおいて、計測前または計測後リセットがなされた状態であれば、機能針５２ｆは０秒位置にあると特定できる。
【００６３】
針位置決定処理が行われた後には、これまでに判明した第１のアナログ表示機構および第２のアナログ表示機構の現在位置と、現在時刻、現在日付に基づいて、時刻表示制御部３１ｅはアナログ表示機構に現在の情報を表示させる。より具体的には、時刻表示制御部３１ｅは時針５２ａ、分針５２ｂ、秒針５２ｃが現在時刻を指すようにステップモータＡ，Ｂを制御する（ステップＳ１０７）。また時刻表示制御部３１ｅは、現在日付と、現在の表示モードと算出された機能針５２ｆ、日板５４の位置とに基づいて、日板５４が現在日付を表示し、機能針５２ｆが表示モードに応じた表示をするように制御する（ステップＳ１０８）。これらの動作により、再起動時の処理が完了する。
【００６４】
このように、不揮発性メモリ３７に格納された情報を用いて機能針５２ｆや日板５４などの第２のアナログ表示機構の表示位置を決定し、それに応じて機能針５２ｆ等の表示を制御することで、ユーザが手動で機能針５２ｆ等の表示位置を基準位置に合わせる操作を省略することが可能になる。特に腕時計ではスペースやコストの面から、針位置を検出する機構の検出対象を全てのアナログ表示機構にすることは難しい。本実施形態では、機能針５２ｆのように表示位置の変更が比較的少ないアナログ表示機構については針位置を検出する機構を設けることなく較正することが可能になっている。また、図３に示すように日板５４の調整に必要なステップモータＤのステップ数は膨大であり、仮に手動で基準位置に合わせる操作をすると長時間かかってしまう。本実施形態では位置合わせに必要な時間も大幅に短縮される。
【００６５】
図７および図８に記載の例では、再起動直前の表示モードがクロノモードの場合は機能針５２ｆの位置を手動で合わせるようにしているが、機能針位置決定部３１ｄは、不揮発性メモリ３７から機能針５２ｆの位置を取得することで、機能針５２ｆの現在位置を決定してもよい。例えば、不揮発性メモリ３７が、クロノモードにおける機能針５２ｆの動作／停止を示す動作情報、停止中の機能針５２ｆの位置を記憶し、表示モードがクロノモードである場合に、機能針位置決定部３１ｄが不揮発性メモリ３７に格納される動作情報に基づいて、機能針５２ｆが停止しているか判定する。そして、機能針５２ｆが停止している場合に、機能針位置決定部３１ｄは不揮発性メモリ３７から停止中の機能針５２ｆの位置を取得する。この場合、表示モードがクロノモードの場合には、計測開始時にバックアップ制御部３１ｇが動作情報に機能針５２ｆが動作中であることを示す値を設定し、計測終了時にバックアップ制御部３１ｇが動作情報に機能針５２ｆが停止中であることを示す値を設定するとともに測定された１／２０秒単位の値（２０種類の値のいずれか）を不揮発性メモリ３７に書き込む。なお、機能針５２ｆの位置を示す情報が動作情報を兼ねてもよい。機能針５２ｆの位置を示す情報に特別な値（例えば３１や２５５等）が書き込まれている場合に機能針５２ｆが動作中であるとしてもよい。
【００６６】
一方、機能針位置決定部３１ｄは、不揮発性メモリ３７に格納された情報の少なくとも一部の代わりに、衛星信号から取得された現在日付、現在時刻、標準電波から取得される現在日付および現在時刻、サマータイムの情報を用いて機能針５２ｆ等の位置を決定してもよい。再起動される際には、再起動が必要な状態になってから再起動がされ、機能針位置決定部３１ｄの処理がされるまでの時間が数分程度に収まることが考えられる。このような場合には、例えば、機能針位置決定部３１ｄは、ステップＳ２０１，Ｓ２０２において不揮発性メモリ３７に格納される日付を示す情報（曜日情報など）の代わりに現在日付を用いて日板５４の位置を決定し、現在日付から曜日情報を取得してよい。またステップＳ２０７，Ｓ２０８において、機能針位置決定部３１ｄは標準電波に含まれるサマータイム情報から機能針５２ｆの位置を算出してよい。
【００６７】
次にバックアップ制御部３１ｇによるデータの格納に関連する処理について説明する。図９は、日付が変わる際の時刻表示制御部３１ｅおよびバックアップ制御部３１ｇの処理を説明するフロー図である。
【００６８】
時刻表示制御部３１ｅは、前回の処理の時刻と現在の処理の時刻との間に午前０時０分０秒が存在するか否か（午前０時を過ぎたか）を判定する（ステップＳ３０１）。そして、午前０時を過ぎた場合には（ステップＳ３０１のＹ）、ＲＡＭ３３に記憶されている日板５４の位置および機能針５２ｆの位置と、現在日付、曜日から、ステップモータＤを駆動させるステップ数（駆動量）を算出する（ステップＳ３０２）。また算出されたステップ数だけステップモータＤを回転させ、日板５４の表示位置と機能針５２ｆの表示位置を変更する（ステップＳ３０３）。
【００６９】
日板５４および機能針５２ｆの表示位置が変更されると、バックアップ制御部３１ｇは、不揮発性メモリ３７の曜日情報を書き換える（ステップＳ３０４）。このように、日付の変化に伴うアナログ表示機構の表示位置の変更に合わせて不揮発性メモリ３７の内容を書き換えることで、表示された内容と不揮発性メモリ３７の内容とを一致させることができる。また、バックアップ制御部３１ｇが、不揮発性メモリ３７に存在する日付に関するデータを、１日につき、午前０時という所定の時刻に不揮発性メモリ３７の内容を書き換えることで、日付の更新に対応している。なお、更新のタイミングが表示位置を変更するタイミングとずれていてもよい。例えば表示時刻とＵＴＣ時刻とが異なっている場合に、ＵＴＣ時刻で日付が変わったタイミングで不揮発性メモリ３７内の日付に関する情報を更新してもよい。
【００７０】
図１０は、表示モードを切り替える際のモード制御部３１ｆおよびバックアップ制御部３１ｇの処理を説明するフロー図である。モード制御部３１ｆは、操作部６０からの信号を取得する（ステップＳ４０１）。その信号が表示モードを切り替える操作を示す場合には（ステップＳ４０２）、モード制御部３１ｆは、表示モードを操作に応じたものに変更する（ステップＳ４０３）。そして、時刻表示制御部３１ｅは表示モードに応じて機能針５２ｆ等の表示位置を制御し（ステップＳ４０４）、バックアップ制御部３１ｇは、不揮発性メモリ３７に格納される表示モードを変更された表示モードに書き換える（ステップＳ４０５）。このように、表示モードの変更に応じて不揮発性メモリ３７の内容が書き換えられることで、機能針５２ｆ等の表示状態と不揮発性メモリ３７に格納される内容とを一致させることができる。なお、バックアップ制御部３１ｇは、表示モードだけでなく、スイッチが押下されたか否かの情報を不揮発性メモリ３７に格納してもよい。
【００７１】
なお、文字板５３に表示される内容や表示モードは図１に示されるものと異なっていてもよい。図１１は、本発明の実施形態にかかる衛星電波腕時計１の外観の他の一例を示す平面図である。図１１に示す衛星電波腕時計１は、図１のものと異なり、クロノモードやアラームモードが存在せず、またサブ時針５２ｄ、サブ分針５２ｅも存在しない。このような衛星電波腕時計１の機能針５２ｆや日板５４の位置の較正も、これまでに説明した手法で行うことができる。
【００７２】
図１２は、図１１に示す衛星電波腕時計１における指針５２、日板５４の特性を説明する図である。図２の例と異なり、時針５２ａと分針５２ｂとはそれぞれ互いに異なるステップモータＡ，Ｂにより駆動されている。したがって、基準位置設定部３１ｃは、ステップモータＡと針位置検出部５５とを制御することで時針５２ａを基準位置に設定し、ステップモータＢと針位置検出部５５とを制御することで分針５２ｂを基準位置に設定する。一方、機能針５２ｆと日板５４との関係は図２の例と同様である。
【符号の説明】
【００７３】
１  衛星電波腕時計、１０  アンテナ、２０  受信回路、２１  高周波回路、２２  デコード回路、３０  制御回路、３１  マイクロコントローラ、３１ａ  起動処理部、３１ｂ  受信制御部、３１ｃ  基準位置設定部、３１ｄ  機能針位置決定部、３１ｅ  時刻表示制御部、３１ｆ  モード制御部、３１ｇ  バックアップ制御部、３２  演算部、３３  ＲＡＭ、３４  ＲＯＭ、３５  モータ駆動回路、３６  ＲＴＣ、３７  不揮発性メモリ、４１  発電回路、４２  二次電池、４３  電源電圧検出回路、５０  駆動機構、５１  時刻表示部、５２  指針、５２ａ  時針、５２ｂ  分針、５２ｃ  秒針、５２ｄ  サブ時針、５２ｅ  サブ分針、５２ｆ  機能針、５２ｇ  モード針、５３  文字板、５３ｂ  サブ表示領域、５３ｃ  機能表示領域、５３ｄ  モード表示領域、５４  日板、５５  針位置検出部、６０  操作部、７１，７２，７３  ページ。
【図１】
0006466224.tif 000002
【図２】
0006466224.tif 000003
【図３】
0006466224.tif 000004
【図４】
0006466224.tif 000005
【図５】
0006466224.tif 000006
【図６】
0006466224.tif 000007
【図７】
0006466224.tif 000008
【図８】
0006466224.tif 000009
【図９】
0006466224.tif 000010
【図１０】
0006466224.tif 000011
【図１１】
0006466224.tif 000012
【図１２】
0006466224.tif 000013